【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
光学特性改変デバイスの表面上に複数の反応チャンバを含み、かつ、生物学的試料を光学特性改変試薬と反応させるよう構成された、核酸ベースの疾患診断検査用の光学特性改変デバイスであって、該複数の反応チャンバ内の反応が該光学特性改変試薬の光学特性を改変する、光学特性改変デバイスと；
命令がエンコードされた非一時的なコンピュータ可読記憶媒体であって、該命令は、ユーザーのモバイルデバイスのプロセッサによって実行された時に、
該モバイルデバイスの光学センサーによってキャプチャされた、該光学特性改変デバイスの少なくとも1つの画像を受け取ること；
該少なくとも1つの画像の各画像について、該光学特性改変デバイスの該表面が該画像内に示されているかを、該光学特性改変デバイスの該表面に関連付けられた既知の幾何学的特質および既知の色の特質のうちの少なくとも1つに基づいて決定すること；
該少なくとも1つの画像のうち、該表面を示していると決定された1つまたは複数の画像を選択すること；
該1つまたは複数の画像と該反応チャンバのうちの少なくとも1つとに少なくとも部分的に基づいて、該核酸ベースの疾患診断検査の検査結果を決定すること；および
該モバイルデバイスの電子ディスプレイ上での表示用に該検査結果を提供すること
を該プロセッサに行わせる、非一時的なコンピュータ可読記憶媒体と
を具備する、画像ベースの疾患診断検査の結果を決定するためのシステム。
【請求項２】
非一時的なコンピュータ可読記憶媒体がさらなる命令を有し、該命令は、プロセッサによって実行された時に、
モバイルデバイスの地理的位置を該モバイルデバイスのGPSプロセッサから受け取ること；および
該地理的位置と、該地理的位置のタイムスタンプとを、検査結果とともに記憶すること
を該プロセッサに行わせる、請求項1記載のシステム。
【請求項３】
核酸ベースの疾患診断検査の検査結果を決定することが、地理的位置およびタイムスタンプのうちの少なくとも1つにさらに基づく、請求項2記載のシステム。
【請求項４】
既知の幾何学的特質が、二次元バーコード、QRコード（登録商標）、光学特性改変デバイスの境界部、またはアライメントマーカーのうち、少なくとも1つを含む、請求項1〜3のいずれか一項記載のシステム。
【請求項５】
既知の幾何学的特質が少なくともQRコード（登録商標）を含み、かつ、モバイルデバイスが、該QRコード（登録商標）に基づいて核酸ベースの疾患診断検査のタイプと有効期限とを決定するようさらに構成される、請求項1〜3のいずれか一項記載のシステム。
【請求項６】
非一時的なコンピュータ可読記憶媒体がさらなる命令を有し、該命令は、プロセッサによって実行された時に、
前記少なくとも1つの画像の各画像について、該画像のスキュー、スケール、および回転のうちの少なくとも1つを示す、該画像の空間データを、既知の幾何学的特質または既知の色の特質に基づいて決定すること
を該プロセッサに行わせ、かつ、該少なくとも1つの画像のうち1つまたは複数の画像を選択することが、該空間データにさらに基づく、請求項1〜3のいずれか一項記載のシステム。
【請求項７】
非一時的なコンピュータ可読記憶媒体がさらなる命令を有し、該命令は、プロセッサによって実行された時に、
前記少なくとも1つの画像の各画像について、該画像のフォーカスレベル、コントラストレベル、および照明レベルのうちの少なくとも1つに基づいて該画像の品質レベルを決定すること
を該プロセッサに行わせ、かつ、該少なくとも1つの画像のうち1つまたは複数の画像を選択することが、該品質レベルに基づく、請求項1〜3のいずれか一項記載のシステム。
【請求項８】
非一時的なコンピュータ可読記憶媒体がさらなる命令を有し、該命令は、プロセッサによって実行された時に、ユーザーに向けて複数の段階を表示することを該プロセッサに行わせ、該複数の段階は、該ユーザーに、
生物学的試料を光学特性改変デバイスに提供することであって、該ユーザーが該生物学的試料を該光学特性改変デバイスに提供したことに応答して光学特性改変試薬の光学特性が改変される、こと；
所定の期間、待機すること；および
モバイルデバイスを用いて前記少なくとも1つの画像をキャプチャすること
を行うよう指示する、請求項1〜3のいずれか一項記載のシステム。
【請求項９】
光学特性改変デバイスがインフルエンザの診断検査用であり、生物学的試料が患者の鼻孔からのものであり、かつ、所定の期間が60分間未満である、請求項8記載のシステム。
【請求項１０】
前記1つまたは複数の画像と反応チャンバのうちの少なくとも1つとに少なくとも部分的に基づいて、核酸ベースの疾患診断検査の検査結果を決定することが、
該1つまたは複数の画像をモバイルデバイスからコンピュータサーバーに提供すること；および
検査結果をモバイルデバイスによってコンピュータサーバーから受け取ること
を含む、請求項1〜3のいずれか一項記載のシステム。
【請求項１１】
電子ディスプレイが、
光学センサーの視野を表示し；
該視野内にある前記少なくとも1つの画像の画像を表示し；
アライメントマーカーを表示し；かつ
該画像が該アライメントマーカーとアライメントしたことに応答して指標を表示する
ようさらに構成されている、請求項1〜3のいずれか一項記載のシステム。
【請求項１２】
非一時的なコンピュータ可読記憶媒体がさらなる命令を有し、該命令は、プロセッサによって実行された時に、
検査結果をユーザーに向けて表示したことに応答して、該検査結果の確認または修正を受け取ること；および
該検査結果と、前記1つまたは複数の画像とを、コンピュータサーバーに提供すること
を該プロセッサに行わせる、請求項1〜3のいずれか一項記載のシステム。
【請求項１３】
ユーザーのモバイルデバイスの光学センサーによってキャプチャされた、核酸ベースの疾患診断検査用の光学特性改変デバイスの少なくとも1つの画像を受け取る工程であって、該光学特性改変デバイスは、該光学特性改変デバイスの表面上に複数の反応チャンバを含み、かつ、生物学的試料を光学特性改変試薬と反応させるよう構成されており、該複数の反応チャンバ内の反応は該光学特性改変試薬の光学特性を改変する、工程；
該少なくとも1つの画像の各画像について、該光学特性改変デバイスの少なくとも1つの表面が該画像内に示されているかを、該光学特性改変デバイスの該少なくとも1つの表面に関連付けられた既知の幾何学的特質および既知の色の特質のうちの少なくとも1つに基づいて決定する工程；
該少なくとも1つの画像のうち、該少なくとも1つの表面を示していると決定された1つまたは複数の画像を選択する工程；
該1つまたは複数の画像と該反応チャンバのうちの少なくとも1つとに少なくとも部分的に基づいて、該核酸ベースの疾患診断検査の検査結果を決定する工程；および
該モバイルデバイスの電子ディスプレイ上での表示用に該検査結果を提供する工程
を含む方法。
【請求項１４】
モバイルデバイスの地理的位置を該モバイルデバイスのGPSプロセッサから受け取る工程；および
該地理的位置と、該地理的位置のタイムスタンプとを、検査結果とともに記憶する工程
をさらに含む、請求項13記載の方法。
【請求項１５】
核酸ベースの疾患診断検査の検査結果を決定する工程が、地理的位置およびタイムスタンプのうちの少なくとも1つにさらに基づく、請求項14記載の方法。
【請求項１６】
検査結果と、地理的位置と、タイムスタンプとを、患者集団に関連付けられた複数のモバイルデバイスから集められた検査結果に基づく疫学的データを含むコンピュータサーバーに提供する工程
をさらに含む、請求項14または請求項15記載の方法。
【請求項１７】
前記少なくとも1つの画像の各画像について、該画像のスキュー、スケール、または回転のうちの少なくとも1つを示す、該画像の空間データを、既知の幾何学的特質または既知の色の特質に基づいて決定する工程
をさらに含み、かつ、該少なくとも1つの画像のうち1つまたは複数の画像を選択する工程が、該空間データにさらに基づく、請求項13〜15のいずれか一項記載の方法。
【請求項１８】
前記少なくとも1つの画像の各画像について、該画像のフォーカスレベル、コントラストレベル、および照明レベルのうちの少なくとも1つに基づいて該画像の品質レベルを決定する工程
をさらに含み、かつ、該少なくとも1つの画像のうち1つまたは複数の画像を選択する工程が、該品質レベルに基づく、請求項13〜15のいずれか一項記載の方法。
【請求項１９】
ユーザーに向けて複数の段階を表示する工程をさらに含み、該複数の段階は、該ユーザーに、
生物学的試料を光学特性改変デバイスに提供することであって、該ユーザーが該生物学的試料を該光学特性改変デバイスに提供したことに応答して光学特性改変試薬の光学特性が改変される、こと；
所定の期間、待機すること；および
モバイルデバイスを用いて前記少なくとも1つの画像をキャプチャすること
を行うよう指示する、請求項13〜15のいずれか一項記載の方法。
【請求項２０】
光学センサーの視野を電子ディスプレイ上に表示させる工程；
該視野内にある前記少なくとも1つの画像の画像を該電子ディスプレイ上に表示させる工程；
アライメントマーカーを該電子ディスプレイ上に表示させる工程；および
該画像が該アライメントマーカーとアライメントしたことに応答して指標を該電子ディスプレイ上に表示させる工程
をさらに含む、請求項13〜15のいずれか一項記載の方法。
【請求項２１】
核酸ベースの疾患診断検査に関連付けられた疾患について患者が検査で陽性と出たことを示す検査結果に応答して、該検査結果に関して該患者のため医療提供者に連絡が行われることを示す通知をモバイルデバイスに提供する工程
をさらに含む、請求項13〜15のいずれか一項記載の方法。
【請求項２２】
核酸ベースの疾患診断検査に関連付けられた疾患を治療するための、患者用の処方を、薬局が履行することができるよう、検査結果に関連付けられた情報を該薬局に提供する工程
をさらに含む、請求項13〜15のいずれか一項記載の方法。
【請求項２３】
検査結果に基づくスポンサー付きコンテンツを含むメッセージを生成する工程；および
ユーザーに向けた表示のために該メッセージをモバイルデバイスに提供する工程
をさらに含む、請求項13〜15のいずれか一項記載の方法。
【請求項２４】
核酸ベースの疾患診断検査に関連付けられた疾患について患者が検査で陽性と出たことを示す検査結果に応答して、該患者から所定の距離内に位置する医療提供者に該検査結果を提供する工程；および
該疾患を治療するための、該医療提供者からの勧告を、該ユーザーに向けた表示のためにモバイルデバイスに提供する工程
をさらに含む、請求項13〜15のいずれか一項記載の方法。
【請求項２５】
患者集団に関連付けられた複数のモバイルデバイスから集められた検査結果に基づく健康情報を含む、第三者のコンピュータサーバーに、検査結果を提供する工程であって、該第三者が該健康情報を用いて該患者集団の健康統計を生成する、工程
をさらに含む、請求項13〜15のいずれか一項記載の方法。
【請求項２６】
命令がエンコードされた非一時的なコンピュータ可読記憶媒体を含むコンピュータプログラムプロダクトであって、該命令は、プロセッサによって実行された時に、
ユーザーのモバイルデバイスの光学センサーによってキャプチャされた、核酸ベースの疾患診断検査用の光学特性改変デバイスの少なくとも1つの画像を受け取ることであって、該光学特性改変デバイスは、該光学特性改変デバイスの表面上に複数の反応チャンバを含み、かつ、生物学的試料を光学特性改変試薬と反応させるよう構成されており、該複数の反応チャンバ内の反応は該光学特性改変試薬の光学特性を改変する、こと；
該少なくとも1つの画像の各画像について、該光学特性改変デバイスの少なくとも1つの表面が該画像内に示されているかを、該光学特性改変デバイスの該少なくとも1つの表面に関連付けられた既知の幾何学的特質および既知の色の特質のうちの少なくとも1つに基づいて決定すること；
該少なくとも1つの画像のうち、該少なくとも1つの表面を示していると決定された1つまたは複数の画像を選択すること；
該1つまたは複数の画像と該反応チャンバのうちの少なくとも1つとに少なくとも部分的に基づいて、該核酸ベースの疾患診断検査の検査結果を決定すること；および
該モバイルデバイスの電子ディスプレイ上での表示用に該検査結果を提供すること
を該プロセッサに行わせる、コンピュータプログラムプロダクト。
【請求項２７】
さらなる命令を有し、該命令は、プロセッサによって実行された時に、
モバイルデバイスの地理的位置を該モバイルデバイスのGPSプロセッサから受け取ること；および
該地理的位置と、該地理的位置のタイムスタンプとを、検査結果とともに記憶すること
を該プロセッサに行わせる、請求項26記載の非一時的なコンピュータ可読記憶媒体。
【請求項２８】
さらなる命令を有し、該命令は、プロセッサによって実行された時に、
前記少なくとも1つの画像の各画像について、該画像のフォーカスレベル、コントラストレベル、および照明レベルのうちの少なくとも1つに基づいて該画像の品質レベルを決定すること
を該プロセッサに行わせ、かつ、該少なくとも1つの画像のうち1つまたは複数の画像を選択することが、該品質レベルにさらに基づく、請求項26または請求項27記載の非一時的なコンピュータ可読記憶媒体。
【請求項２９】
さらなる命令を有し、該命令は、プロセッサによって実行された時に、ユーザーに向けて複数の段階を表示することを該プロセッサに行わせ、該複数の段階は、該ユーザーに、
生物学的試料を光学特性改変デバイスに提供することであって、該ユーザーが該生物学的試料を該光学特性改変デバイスに提供したことに応答して光学特性改変試薬の光学特性が改変される、こと；
所定の期間、待機すること；および
モバイルデバイスを用いて前記少なくとも1つの画像をキャプチャすること
を行うよう指示する、請求項26または請求項27記載の非一時的なコンピュータ可読記憶媒体。
【請求項３０】
さらなる命令を有し、該命令は、プロセッサによって実行された時に、
光学センサーの視野を電子ディスプレイ上に表示すること；
該視野内にある前記少なくとも1つの画像の画像を該電子ディスプレイ上に表示すること；
アライメントマーカーを該電子ディスプレイ上に表示すること；および
該画像が該アライメントマーカーとアライメントしたことに応答して指標を該電子ディスプレイ上に表示すること
を該プロセッサに行わせる、請求項26または請求項27記載の非一時的なコンピュータ可読記憶媒体。
【手続補正２】
【補正対象書類名】明細書
【補正対象項目名】００１１
【補正方法】変更
【補正の内容】
【００１１】
別の態様において、非一時的なコンピュータ可読記憶媒体が、プロセッサによって実行された時に上述の方法をプロセッサに実行させる命令を、記憶する。
[本発明1001]
光学特性改変デバイスの表面上に複数の反応チャンバを含み、かつ、生物学的試料を光学特性改変試薬と反応させるよう構成された、核酸疾患診断検査用の光学特性改変デバイスであって、該反応が該光学特性改変試薬の光学特性を改変する、光学特性改変デバイスと；
命令がエンコードされた非一時的なコンピュータ可読記憶媒体であって、該命令は、ユーザーのモバイルデバイスのプロセッサによって実行された時に、
該モバイルデバイスの光学センサーによってキャプチャされた、該光学特性改変デバイスの少なくとも1つの画像を受け取ること；
該少なくとも1つの画像の各画像について、該光学特性改変デバイスの該表面が該画像内に示されているかを、該光学特性改変デバイスの該表面に関連付けられた既知の幾何学的特質および既知の色の特質のうちの少なくとも1つに基づいて決定すること；
該少なくとも1つの画像のうち、該表面を示していると決定された1つまたは複数の画像を選択すること；
該1つまたは複数の画像と該反応チャンバのうちの少なくとも1つとに少なくとも部分的に基づいて、該核酸疾患診断検査の検査結果を決定すること；および
該モバイルデバイスの電子ディスプレイ上での表示用に該検査結果を提供すること
を該プロセッサに行わせる、非一時的なコンピュータ可読記憶媒体と
を具備するシステム。
[本発明1002]
非一時的なコンピュータ可読記憶媒体がさらなる命令を有し、該命令は、プロセッサによって実行された時に、
モバイルデバイスの地理的位置を該モバイルデバイスのGPSプロセッサから受け取ること；および
該地理的位置と、該地理的位置のタイムスタンプとを、検査結果とともに記憶すること
を該プロセッサに行わせる、本発明1001のシステム。
[本発明1003]
核酸疾患診断検査の検査結果を決定することが、地理的位置およびタイムスタンプのうちの少なくとも1つにさらに基づく、本発明1002のシステム。
[本発明1004]
既知の幾何学的特質が、二次元バーコード、QRコード（登録商標）、光学特性改変デバイスの境界部、またはアライメントマーカーのうち、少なくとも1つを含む、本発明1001〜1003のいずれかのシステム。
[本発明1005]
既知の幾何学的特質が少なくともQRコード（登録商標）を含み、かつ、モバイルデバイスが、該QRコード（登録商標）に基づいて核酸疾患診断検査のタイプと有効期限とを決定するようさらに構成される、本発明1001〜1003のいずれかのシステム。
[本発明1006]
非一時的なコンピュータ可読記憶媒体がさらなる命令を有し、該命令は、プロセッサによって実行された時に、
前記少なくとも1つの画像の各画像について、該画像のスキュー、スケール、および回転のうちの少なくとも1つを示す、該画像の空間データを、既知の幾何学的特質または既知の色の特質に基づいて決定すること
を該プロセッサに行わせ、かつ、該少なくとも1つの画像のうち1つまたは複数の画像を選択することが、該空間データにさらに基づく、本発明1001〜1003のいずれかのシステム。
[本発明1007]
非一時的なコンピュータ可読記憶媒体がさらなる命令を有し、該命令は、プロセッサによって実行された時に、
前記少なくとも1つの画像の各画像について、該画像のフォーカスレベル、コントラストレベル、および照明レベルのうちの少なくとも1つに基づいて該画像の品質レベルを決定すること
を該プロセッサに行わせ、かつ、該少なくとも1つの画像のうち1つまたは複数の画像を選択することが、該品質レベルに基づく、本発明1001〜1003のいずれかのシステム。
[本発明1008]
非一時的なコンピュータ可読記憶媒体がさらなる命令を有し、該命令は、プロセッサによって実行された時に、ユーザーに向けて複数の段階を表示することを該プロセッサに行わせ、該複数の段階は、該ユーザーに、
生物学的試料を光学特性改変デバイスに提供することであって、該ユーザーが該生物学的試料を該光学特性改変デバイスに提供したことに応答して光学特性改変試薬の光学特性が改変される、こと；
所定の期間、待機すること；および
モバイルデバイスを用いて前記少なくとも1つの画像をキャプチャすること
を行うよう指示する、本発明1001〜1003のいずれかのシステム。
[本発明1009]
光学特性改変デバイスがインフルエンザの診断検査用であり、生物学的試料が患者の鼻孔からのものであり、かつ、所定の期間が60分間未満である、本発明1008のシステム。
[本発明1010]
前記1つまたは複数の画像と反応チャンバのうちの少なくとも1つとに少なくとも部分的に基づいて、核酸疾患診断検査の検査結果を決定することが、
該1つまたは複数の画像をモバイルデバイスからコンピュータサーバーに提供すること；および
検査結果をモバイルデバイスによってコンピュータサーバーから受け取ること
を含む、本発明1001〜1003のいずれかのシステム。
[本発明1011]
電子ディスプレイが、
光学センサーの視野を表示し；
該視野内にある前記少なくとも1つの画像の画像を表示し；
アライメントマーカーを表示し；かつ
該画像が該アライメントマーカーとアライメントしたことに応答して指標を表示する
ようさらに構成されている、本発明1001〜1003のいずれかのシステム。
[本発明1012]
非一時的なコンピュータ可読記憶媒体がさらなる命令を有し、該命令は、プロセッサによって実行された時に、
検査結果をユーザーに向けて表示したことに応答して、該検査結果の確認または修正を受け取ること；および
該検査結果と、前記1つまたは複数の画像とを、コンピュータサーバーに提供すること
を該プロセッサに行わせる、本発明1001〜1003のいずれかのシステム。
[本発明1013]
ユーザーのモバイルデバイスの光学センサーによってキャプチャされた、核酸疾患診断検査用の光学特性改変デバイスの少なくとも1つの画像を受け取る工程であって、該光学特性改変デバイスは、該光学特性改変デバイスの表面上に複数の反応チャンバを含み、かつ、生物学的試料を光学特性改変試薬と反応させるよう構成されており、該反応は該光学特性改変試薬の光学特性を改変する、工程；
該少なくとも1つの画像の各画像について、該光学特性改変デバイスの該表面が該画像内に示されているかを、該光学特性改変デバイスの該表面に関連付けられた既知の幾何学的特質および既知の色の特質のうちの少なくとも1つに基づいて決定する工程；
該少なくとも1つの画像のうち、該表面を示していると決定された1つまたは複数の画像を選択する工程；
該1つまたは複数の画像と該反応チャンバのうちの少なくとも1つとに少なくとも部分的に基づいて、該核酸疾患診断検査の検査結果を決定する工程；および
該モバイルデバイスの電子ディスプレイ上での表示用に該検査結果を提供する工程
を含む方法。
[本発明1014]
モバイルデバイスの地理的位置を該モバイルデバイスのGPSプロセッサから受け取る工程；および
該地理的位置と、該地理的位置のタイムスタンプとを、検査結果とともに記憶する工程
をさらに含む、本発明1013の方法。
[本発明1015]
核酸疾患診断検査の検査結果を決定する工程が、地理的位置およびタイムスタンプのうちの少なくとも1つにさらに基づく、本発明1014の方法。
[本発明1016]
検査結果と、地理的位置と、タイムスタンプとを、患者集団に関連付けられた複数のモバイルデバイスから集められた検査結果に基づく疫学的データを含むコンピュータサーバーに提供する工程
をさらに含む、本発明1014または本発明1015の方法。
[本発明1017]
前記少なくとも1つの画像の各画像について、該画像のスキュー、スケール、または回転のうちの少なくとも1つを示す、該画像の空間データを、既知の幾何学的特質または既知の色の特質に基づいて決定する工程
をさらに含み、かつ、該少なくとも1つの画像のうち1つまたは複数の画像を選択する工程が、該空間データにさらに基づく、本発明1013〜1015のいずれかの方法。
[本発明1018]
前記少なくとも1つの画像の各画像について、該画像のフォーカスレベル、コントラストレベル、および照明レベルのうちの少なくとも1つに基づいて該画像の品質レベルを決定する工程
をさらに含み、かつ、該少なくとも1つの画像のうち1つまたは複数の画像を選択する工程が、該品質レベルに基づく、本発明1013〜1015のいずれかの方法。
[本発明1019]
ユーザーに向けて複数の段階を表示する工程をさらに含み、該複数の段階は、該ユーザーに、
生物学的試料を光学特性改変デバイスに提供することであって、該ユーザーが該生物学的試料を該光学特性改変デバイスに提供したことに応答して光学特性改変試薬の光学特性が改変される、こと；
所定の期間、待機すること；および
モバイルデバイスを用いて前記少なくとも1つの画像をキャプチャすること
を行うよう指示する、本発明1013〜1015のいずれかの方法。
[本発明1020]
光学センサーの視野を電子ディスプレイ上に表示させる工程；
該視野内にある前記少なくとも1つの画像の画像を該電子ディスプレイ上に表示させる工程；
アライメントマーカーを該電子ディスプレイ上に表示させる工程；および
該画像が該アライメントマーカーとアライメントしたことに応答して指標を該電子ディスプレイ上に表示させる工程
をさらに含む、本発明1013〜1015のいずれかの方法。
[本発明1021]
核酸疾患診断検査に関連付けられた疾患について患者が検査で陽性と出たことを示す検査結果に応答して、該検査結果に関して該患者のため医療提供者に連絡が行われることを示す通知をモバイルデバイスに提供する工程
をさらに含む、本発明1013〜1015のいずれかの方法。
[本発明1022]
核酸疾患診断検査に関連付けられた疾患を治療するための、患者用の処方を、薬局が履行することができるよう、検査結果に関連付けられた情報を該薬局に提供する工程
をさらに含む、本発明1013〜1015のいずれかの方法。
[本発明1023]
検査結果に基づくスポンサー付きコンテンツを含むメッセージを生成する工程；および
ユーザーに向けた表示のために該メッセージをモバイルデバイスに提供する工程
をさらに含む、本発明1013〜1015のいずれかの方法。
[本発明1024]
核酸疾患診断検査に関連付けられた疾患について患者が検査で陽性と出たことを示す検査結果に応答して、該患者から所定の距離内に位置する医療提供者に該検査結果を提供する工程；および
該疾患を治療するための、該医療提供者からの勧告を、該ユーザーに向けた表示のためにモバイルデバイスに提供する工程
をさらに含む、本発明1013〜1015のいずれかの方法。
[本発明1025]
患者集団に関連付けられた複数のモバイルデバイスから集められた検査結果に基づく健康情報を含む、第三者のコンピュータサーバーに、検査結果を提供する工程であって、該第三者が該健康情報を用いて該患者集団の健康統計を生成する、工程
をさらに含む、本発明1013〜1015のいずれかの方法。
[本発明1026]
命令がエンコードされた非一時的なコンピュータ可読記憶媒体を含むコンピュータプログラムプロダクトであって、該命令は、プロセッサによって実行された時に、
ユーザーのモバイルデバイスの光学センサーによってキャプチャされた、核酸疾患診断検査用の光学特性改変デバイスの少なくとも1つの画像を受け取ることであって、該光学特性改変デバイスは、該光学特性改変デバイスの表面上に複数の反応チャンバを含み、かつ、生物学的試料を光学特性改変試薬と反応させるよう構成されており、該反応は該光学特性改変試薬の光学特性を改変する、こと；
該少なくとも1つの画像の各画像について、該光学特性改変デバイスの該表面が該画像内に示されているかを、該光学特性改変デバイスの該表面に関連付けられた既知の幾何学的特質および既知の色の特質のうちの少なくとも1つに基づいて決定すること；
該少なくとも1つの画像のうち、該表面を示していると決定された1つまたは複数の画像を選択すること；
該1つまたは複数の画像と該反応チャンバのうちの少なくとも1つとに少なくとも部分的に基づいて、該核酸疾患診断検査の検査結果を決定すること；および
該モバイルデバイスの電子ディスプレイ上での表示用に該検査結果を提供すること
を該プロセッサに行わせる、コンピュータプログラムプロダクト。
[本発明1027]
さらなる命令を有し、該命令は、プロセッサによって実行された時に、
モバイルデバイスの地理的位置を該モバイルデバイスのGPSプロセッサから受け取ること；および
該地理的位置と、該地理的位置のタイムスタンプとを、検査結果とともに記憶すること
を該プロセッサに行わせる、本発明1026の非一時的なコンピュータ可読記憶媒体。
[本発明1028]
さらなる命令を有し、該命令は、プロセッサによって実行された時に、
前記少なくとも1つの画像の各画像について、該画像のフォーカスレベル、コントラストレベル、および照明レベルのうちの少なくとも1つに基づいて該画像の品質レベルを決定すること
を該プロセッサに行わせ、かつ、該少なくとも1つの画像のうち1つまたは複数の画像を選択することが、該品質レベルにさらに基づく、本発明1026または本発明1027の非一時的なコンピュータ可読記憶媒体。
[本発明1029]
さらなる命令を有し、該命令は、プロセッサによって実行された時に、ユーザーに向けて複数の段階を表示することを該プロセッサに行わせ、該複数の段階は、該ユーザーに、
生物学的試料を光学特性改変デバイスに提供することであって、該ユーザーが該生物学的試料を該光学特性改変デバイスに提供したことに応答して光学特性改変試薬の光学特性が改変される、こと；
所定の期間、待機すること；および
モバイルデバイスを用いて前記少なくとも1つの画像をキャプチャすること
を行うよう指示する、本発明1026または本発明1027の非一時的なコンピュータ可読記憶媒体。
[本発明1030]
さらなる命令を有し、該命令は、プロセッサによって実行された時に、
光学センサーの視野を電子ディスプレイ上に表示すること；
該視野内にある前記少なくとも1つの画像の画像を該電子ディスプレイ上に表示すること；
アライメントマーカーを該電子ディスプレイ上に表示すること；および
該画像が該アライメントマーカーとアライメントしたことに応答して指標を該電子ディスプレイ上に表示すること
を該プロセッサに行わせる、本発明1026または本発明1027の非一時的なコンピュータ可読記憶媒体。